(57)【要約】【課題】撮像装置におけるマウントの接続端子の位置決め精度を向上させる。【解決手段】交換レンズに対する基準面を有するマウントと、マウントに対して位置決めされ、交換レンズの接続端子に当接する接続端子と端子ユニットとを有する。上記撮像装置において、端子ユニットおよびマウントの各々は、互いに嵌合して端子ユニットおよびマウントの相対的な位置を決める位置決め部を有してもよい。また、上記撮像装置において、端子ユニットは、マウントを支持する本体部に対して移動自在であってもよい。【選択図】図６
2011075697.tif 000002
【特許請求の範囲】
【請求項１】
交換レンズに対する基準面を有するマウントと、
前記マウントに対して位置決めされ、前記交換レンズの接続端子に当接する接続端子を有する端子ユニットと
を備える撮像装置。
【請求項２】
前記端子ユニットおよび前記マウントの各々は、互いに嵌合して前記端子ユニットおよび前記マウントの相対的な位置を決める位置決め部を有する請求項１に記載の撮像装置。
【請求項３】
前記端子ユニットは、前記マウントを支持する本体部に対して移動自在な請求項１または請求項２に記載の撮像装置。
【請求項４】
前記端子ユニットは、前記マウントに対して固定される請求項１から請求項３までのいずれかに記載の撮像装置。
【発明の詳細な説明】
【技術分野】
【０００１】
本発明は撮像装置に関する。
【背景技術】
【０００２】
下記特許文献１には、カメラボディに対して着脱できる交換レンズを含むカメラシステムが記載される。交換レンズをカメラボディに装着した場合には、交換レンズ側接点とカメラボディ側接点とが接して、交換レンズおよびカメラボディが電気的にも結合される。
【先行技術文献】
【特許文献】
【０００３】
【特許文献１】特開平０２−１６３７２８号公報
【発明の概要】
【発明が解決しようとする課題】
【０００４】
カメラボディに装着された交換レンズは、カメラボディ側のマウントにより位置決めされる。マウントは金属部品として供給され、カメラボディに固定される。また、接点は、組み付け作業の容易性の観点から、複数の金属製接点を樹脂材料等で一体化した接点ユニットとして供給され、接点ユニットをカメラボディに固定することによ装着される。このため、マウントのカメラボディに対する位置公差と、接点ユニットのカメラボディに対する位置公差とが重畳されて、接点ユニットおよびマウントの相対位置のばらつきが大きくなる場合があった。
【課題を解決するための手段】
【０００５】
そこで、上記課題を解決すべく、本発明の一態様として、交換レンズに対する基準面を有するマウントと、マウントに対して位置決めされ、交換レンズの接続端子に当接する接続端子を有する端子ユニットとを備える撮像装置が提供される。
【図面の簡単な説明】
【０００６】
【図１】交換レンズ１００の形状を示す斜視図である。
【図２】カメラボディ２００の形状を示す斜視図である。
【図３】カメラシステム３００全体の構造を示す断面図である。
【図４】マウントリング２６０周りの分解斜視図である。
【図５】視点を変えた、マウントリング２６０周りの分解斜視図である。
【図６】接点ユニット４００の取り付け構造を示す断面図である。
【図７】接点ユニット４００の他の取り付け構造を示す断面図である。
【発明を実施するための形態】
【０００７】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００８】
図１は、交換レンズ１００単体の外観を、斜め後方から示す斜視図である。交換レンズ１００は、全体として、長手方向に沿って径が変化する円柱状の鏡筒と、当該鏡筒に収容された光学系とを有する。図中では光学系の光軸を一点鎖線Ｘにより示す。
【０００９】
交換レンズ１００は、固定筒１１０、ズームリング１２０、ピントリング１３０、スライドスイッチ１０１を周面に有する。ズームリング１２０は、交換レンズ１００の周面に沿って回転させることができる。ズームリング１２０を回転させた場合、交換レンズ１００の倍率（焦点距離）が変化する。
【００１０】
ピントリング１３０も、交換レンズ１００の周面に沿って回転させることができる。ピントリング１３０を回転させた場合、交換レンズ１００の焦点位置が変化する。固定筒１１０は、回転することなく、スライドスイッチ１０１を支持する。スライドスイッチ１０１は、交換レンズ１００の変倍範囲の制限、光学系の接写モードへの切り換え等に使用される。
【００１１】
交換レンズ１００周面の後端付近には、差し込み指標１１８が配される。差し込み指標１１８は、交換レンズ１００をカメラボディに装着する場合に、カメラボディ側の対応する指標と位置合わせする目印となる。
【００１２】
交換レンズ１００の後端面には、マウント面１１２、マウント爪１１４、連動爪２２１および可動接点１１６が配される。可動接点１１６は、交換レンズ１００の後端面から後方に突出した円弧状のリブ１１５の周面に複数配される。
【００１３】
可動接点１１６の各々は、交換レンズ１００の径方向外側に向かって付勢された状態で、リブ１１５の周面から突出する。これにより、カメラボディ側の接点と接触した場合に、接点間の間隙のばらつきを吸収して電気的接続を確実にする。
【００１４】
マウント面１１２は、交換レンズ１００の光学系の光軸Ｘと直行する平坦な環状面をなす。マウント面１１２を、後述するカメラボディのマウント面と密接させることにより、交換レンズ１００の光学系が、カメラボディに対して正確に位置決めされる。また、マウント面１１２にはロック穴１０２も配される。ロック穴１０２については後述する。
【００１５】
マウント爪１１４は、交換レンズ１００が最も小径になった略後端に複数配される。マウント爪１１４のそれぞれは円弧状の形状をなして、固定筒１１０に対して固定される。
【００１６】
連動爪２２１は、交換レンズ１００の後端面から後方に突出する。連動爪２２１は、カメラボディ側の連動レバーと機械的に係合して、ユーザがプレビューする場合、レリーズボタンが押されて撮像素子が露光される場合に、絞り装置に駆動力を伝える。
【００１７】
図２は、図１に示した交換レンズ１００を装着して使用できるカメラボディ２００の形状を示す斜視図である。カメラボディ２００は、筐体１４０の表面に配されたコネクタカバー１５０、レバースイッチ１６０、ダイヤルスイッチ１８０、押しボタン１９０、ロック解除ボタン１９２を備える。また、筐体１４０の前面には、マウントリング２６０が配される。
【００１８】
コネクタカバー１５０は、シンクロケーブル、リモートコントローラ等を接続するコネクタを覆って保護する。レバースイッチ１６０は、電源スイッチ等、選択肢が少ない場合の切り換え操作に用いられる。ダイヤルスイッチ１８０は、選択肢が多い場合の選択操作、あるいは、連続的な値の増減操作等に使用される。押しボタン１９０は、一時的な操作モードの切り換え、２者択一の切り換え操作等に用いる電気的なスイッチと、マウントのロック、プレビュー等の機械的な機能を有するものとを含む。
【００１９】
マウントリング２６０は、マウント面２６２およびマウント爪２６４を含む。マウント面２６２は、アパーチャを見通すことができる開口を有する環状の平面をなして、装着された交換レンズ１００のマウント面１１２に密接する。マウント爪２６４はそれぞれ円弧状の形状を有して、マウント面２６２の内側において径方向内側に向かって突出する。
【００２０】
また、マウント面からは、装着された交換レンズ１００の回転を制止するロックピン１９４が突出する。ロックピン１９４は、マウント面から突出する方向に付勢されており、ロック解除ボタン１９２が押された場合にマウント面２６２に沈み込み、交換レンズ１００を回転可能にする。
【００２１】
更に、マウントリング２６０近傍の筐体１４０表面に、差し込み指標１４４が配される。差し込み指標１４４は、交換レンズ１００をカメラボディ２００に装着する場合に、交換レンズ１００側の差し込み指標１１８と合わせる目印となる。
【００２２】
また更に、マウントリング２６０開口の内側には、筐体１４０の内部に配された接点ユニット４００、主鏡２４０、フォーカシングスクリーン２７２等が見える。接点ユニット４００は、マウント面２６２の裏面に配され、電気的に独立した複数の固定接点４１０と、固定接点４１０を互いに絶縁しつつ一体化するユニット本体４２０とを含む。
【００２３】
上記のようなカメラボディ２００に対して交換レンズ１００装着する場合は、以下のように操作する。まず、交換レンズ１００およびカメラボディ２００のマウント面１１２、２６２を対向させた状態で、差し込み指標１１８、１４４を相互に合わせる。
【００２４】
これにより、カメラボディ２００側のマウント爪２６４と交換レンズ１００側のマウント爪１１４とは、互いに相補的な位置関係になる。従って、交換レンズ１００の後端をマウントリング２６０の開口に差し込んだ場合、交換レンズ１００側のマウント爪１１４は、カメラボディ２００側のマウント爪２６４の間を通過して、マウント面２６２の裏面側まで入り込む。
【００２５】
続いて、交換レンズ１００を、その光軸Ｘの回りに回転させると、交換レンズ１００側のマウント爪１１４が、カメラボディ２００側のマウント爪２６４の裏側に入り込み、両者は係合する。マウント爪１１４、２６４の少なくとも一方には、マウント爪１１４の厚さ方向に付勢された板バネが配され、交換レンズ１００の回転と共にマウント面１１２、２６２が密接する。これにより、交換レンズ１００は、カメラボディ２００に結合される。
【００２６】
また、ロックピン１９４がロック穴１０２に入り込む位置まで交換レンズ１００が回転した場合、可動接点１１６および固定接点４１０が相互に接触する。これにより、交換レンズ１００およびカメラボディ２００の間の電気接続が形成される。ここで、装着された交換レンズ１００は、マウント面２６２により位置決めされるので、接点ユニット４００の位置がずれていた場合、電気的接続が得られない場合が生じ得る。
【００２７】
交換レンズ１００が所定の位置まで回転すると、交換レンズ１００側のロック穴１０２にカメラボディ２００側のロックピン１９４の先端が入り込み、交換レンズ１００は回転しなくなる。交換レンズ１００を取り外す場合は、ロック解除ボタン１９２を押してロックピン１９４を交換レンズ１００から抜いた上で、上記の一連の操作を逆に実行する。
【００２８】
なお、カメラボディ２００のマウントリング２６０に装着される機材は交換レンズ１００に限られず、中間リング、変換アダプタ、コンバージョンレンズ等が取り付けられる場合もある。この種の機材には、交換レンズ１００側の可動接点１１６とカメラボディ２００側の固定接点４１０とを中継する機能を有するものもある。そのよう機材を装着する場合は、交換レンズ１００の可動接点１１６またはカメラボディ２００の固定接点４１０が接する対象は、中間リング、変換アダプタ、コンバージョンレンズ等のカメラアクセサリの接点となる。
【００２９】
図３は、交換レンズ１００を装着されたカメラボディ２００が形成するカメラシステム３００全体の構造を示す模式的な断面図である。即ち、カメラシステム３００は、相互に結合されたカメラボディ２００および交換レンズ１００を含む全体を指す。なお、図１および図２と共通の構成要素には同じ参照番号を付して重複する説明を省く。
【００３０】
交換レンズ１００は、複数のレンズＬ１、Ｌ２、Ｌ３、Ｌ４、Ｌ５、Ｌ６と、鏡筒制御部１１１とを含む。レンズＬ１、Ｌ２、Ｌ３、Ｌ４、Ｌ５、Ｌ６は、共通の光軸Ｘ上に配列され、全体として光学系をなす。また、レンズＬ５を保持するレンズ枠には、絞り装置２２２も併せて保持される。
【００３１】
鏡筒制御部１１１は、マウントリング２６０に隣接して配された接点ユニット４００を介して、カメラボディ２００側に電気的に接続される。これにより、交換レンズ１００は、カメラボディ２００から電力の供給を受けると共に、後述する主制御部２５０と通信できる。
【００３２】
カメラボディ２００は、主鏡２４０、ペンタプリズム２７０、ファインダ光学系２９０を含む光学系と、主制御部２５０とを収容する。主鏡２４０は、交換レンズ１００の光学系を通じて入射した入射光の光路上に傾斜して配置される測光位置と、入射光を避けて上昇する撮影位置（図中に点線で示す）との間を移動する。
【００３３】
測光位置にある主鏡２４０は、入射光の大半を、上方に配置されたフォーカシングスクリーン２７２に導く。フォーカシングスクリーン２７２は、交換レンズ１００の光学系が合焦した場合に像を結ぶ位置に配置され、当該像を可視化する。
【００３４】
フォーカシングスクリーン２７２に結像された画像は、ペンタプリズム２７０を介してファインダ光学系２９０から観察される。これにより、ファインダ光学系２９０からは、フォーカシングスクリーン２７２上の映像を正像として見ることができる。
【００３５】
ペンタプリズム２７０およびファインダ光学系２９０の間にはハーフミラー２９２が配置される。ハーフミラー２９２は、ファインダＬＣＤ２９４に形成された表示画像を、フォーカシングスクリーン２７２の映像に重畳させる。これにより、ファインダ光学系２９０の出射端において、フォーカシングスクリーン２７２の映像と、ファインダＬＣＤ２９４の映像とを併せて見ることができる。なお、ファインダＬＣＤ２９４には、カメラシステム３００の撮影条件、設定条件等の情報が表示される。
【００３６】
また、ペンタプリズム２７０の出射光の一部は、測光部２８０に導かれる。測光部２８０は、入射光の強度およびその分布等を測定して、撮影条件を決定する場合に測定結果を参照させる。
【００３７】
一方、入射光の入射面に対する主鏡２４０の裏面には、副鏡２４２が配置される。副鏡２４２は、主鏡２４０を透過した入射光の一部を、下方に配置された焦点検出装置２３０に導く。これにより、主鏡２４０が待機位置にある場合は、焦点検出装置２３０が光学系の焦点調整状態を検出する。なお、主鏡２４０が撮影位置に移動した場合は、副鏡２４２も入射光の光路から退避する。
【００３８】
交換レンズ１００からの入射光に対して主鏡２４０の後方には、シャッタ２２０、光学フィルタ２１２および撮像素子２１０が光軸に沿って配置される。シャッタ２２０が開放される場合は、その直前に主鏡２４０が撮影位置に移動するので、入射光は直進して撮像素子２１０に入射される。これにより、入射光の形成する画像が、撮像素子２１０において電気信号に変換される。
【００３９】
また、カメラボディ２００は、交換レンズ１００に対して背面において、外部に面したメインＬＣＤ２９６を備える。メインＬＣＤ２９６は、カメラボディ２００に対する各種の設定情報を表示する他、主鏡２４０が撮影位置に移動している場合に撮像素子２１０に形成された画像を表示することもできる。
【００４０】
主制御部２５０は、上記のような種々の動作を総合的に制御する。また、焦点検出装置２３０が検出した合焦情報を参照して、交換レンズ１００のオートフォーカス機構およびフラッシュ装置等の調光機構を制御する。また、主制御部２５０は、測光部２８０から得られた露出情報を鏡筒制御部１１１に通知して、絞り装置２２２の動作を制御させることもできる。更に、これらの動作においては、交換レンズ１００の焦点距離、スライドスイッチ１０１の状態等が参照される。
【００４１】
図４は、接点ユニット４００およびマウントリング２６０の取り付け構造を示す分解斜視図である。この図は、図２と同様に、カメラボディ２００の前側から見た様子を示す。
【００４２】
マウントリング２６０および接点ユニット本体４２０は、前ボディ３１０に対して取り付けられる。前ボディ３１０は、一体の整形品として供給され、それ自体がカメラボディ２００の構造材をなすと共に、主鏡２４０を収容するミラーボックスと、ペンタプリズム２７０等の支持部材とを形成する。
【００４３】
前ボディ３１０の前面には、マウントリング取付面３１２、ネジ穴３１３、接点ユニット取付面３１４が配される。マウントリング取付面３１２は、略環状をなして、マウントリング２６０を取り付ける場合にマウントリング２６０の裏面に密着して、マウントリング２６０を位置決めする。
【００４４】
マウントリング取付面３１２には、複数のネジ穴３１３が配され、マウントリング２６０のネジ穴２６６に挿通された止めネジ（図示していない）の先端をネジ穴３１３に螺入することにより、マウントリング２６０が前ボディ３１０に固定される。
【００４５】
接点ユニット取付面３１４は、ネジ穴３１３を有する。接点ユニット４００のユニット本体４２０には貫通穴が形成され、ここに挿通された段付きビス４４０を接点ユニット取付面３１４のネジ穴３１３に螺入することにより接点ユニット４００は、前ボディ３１０に対して取り付けられる。
【００４６】
ただし、ユニット本体４２０の貫通穴にはゴムブッシュ４３０が嵌着されており、段付きビス４４０は、ゴムブッシュ４３０の内側に挿通される。このため、段付きビス４４０をネジ穴３１５に螺着した場合、段付きビス４４０は前ボディ３１０に対して固定されるが、接点ユニット４００は、ゴムブッシュ４３０を介して段付きビス４４０に支持される。
【００４７】
なお、接点ユニット４００のユニット本体４２０前面には、一対の位置決め穴４２８が配される。位置決め穴４２８の機能については後述する。
【００４８】
図５は、接点ユニット４００およびマウントリング２６０の取り付け構造を示す分解斜視図である。この図は、図４と反対に、カメラボディ２００の後側から見た様子を示す。
【００４９】
図示のように、前ボディ３１０に対向しているマウントリング２６０の裏面には、一対の位置決めピン２６８が配される。位置決めピン２６８は、マウントリング２６０に嵌め込まれて、マウントリング２６０と一体をなす。
【００５０】
上記のようなマウントリング２６０、接点ユニット４００および前ボディ３１０は、以下のような手順で組み立てられる。まず、接点ユニット４００のユニット本体４２０にゴムブッシュ４３０が嵌め込まれ、更に、ゴムブッシュ４３０に挿通された段付きビス４４０がゴムブッシュ４３０に挿通される。段付きビス４４０の先端は、前ボディ３１０のネジ穴３１５に螺入される。こうして、接点ユニット４００は、前ボディ３１０に取付られる。
【００５１】
続いて、マウントリング２６０のネジ穴２６６に図示していないネジが挿通され、その先端が、マウントリング取付面３１２のネジ穴３１３に螺入される。これにより、マウントリング２６０は、接点ユニット４００の前側を覆いつつ、マウントリング取付面３１２に密接して、前ボディ３１０に対して固定される。このように、マウントリング２６０および接点ユニット４００は、いずれも前ボディ３１０に対して取り付けられるので、組み立て工程の作業手順は従前と変わらない。
【００５２】
図６は、上記のようにして取付られたマウントリング２６０、接点ユニット４００および前ボディ３１０の部分断面図である。図４および図５と共通の要素には同じ参照番号を付して、重複する説明を省く。
【００５３】
図示のように、ユニット本体４２０の貫通穴４２６に挿通されたゴムブッシュ４３０の両端は、貫通穴４２６の内径よりも大きな径を有するフランジ部４３２をなす。一端のフランジ部４３２は、前ボディ３１０およびユニット本体４２０の間に挟まれる。また、他端のフランジ部４３２は、段付きビス４４０のネジ頭４４２とユニット本体４２０との間に挟まれる。
【００５４】
更に、ゴムブッシュ４３０の中間部は、段付きビス４４０の周面とユニット本体４２０との間に挟まれる。これにより、ユニット本体４２０は、接点ユニット取付面３１４および段付きビス４４０のいずれに対しても直接に接触せず、前ボディ３１０から弾性的に支持される。
【００５５】
一方、マウントリング２６０に嵌着された位置決めピン２６８の先端は、ユニット本体４２０の位置決め穴４２８に嵌合する。これにより、ユニット本体４２０は、マウントリング２６０に対して位置決めされ、接点ユニット４００もマウントリング２６０に対して位置決めされる。
【００５６】
既に説明したように、交換レンズ１００は、マウントリング２６０のマウント面２６２に対して位置決めされる。従って、マウントリング２６０に対して位置決めされた接点ユニット４００は、交換レンズ１００に対しても正確に位置決めされる。
【００５７】
なお、ゴムブッシュ４３０に換えて、他のエラストマ、樹脂等の弾性材料により形成したブッシュを用いてもよい。また、前ボディ３１０に対する接点ユニット４００の遊びが、マウントリング２６０に対する接点ユニット４００の遊びよりも大きいという条件が維持されていれば、バネ、ワイヤ等の他の構造により接点ユニット４００を前ボディ３１０に取り付けてもよい。
【００５８】
また、上記の取り付け構造では、マウントリング２６０に位置決めピン２６８を固定して、接点ユニット４００側に位置決め穴４２８を配した。しかしながら、接点ユニット４００側に突出した位置決め部を設け、マウントリング２６０側に陥没した位置決め部を設け、相互に嵌合させて位置決めする構造としてもよい。
【００５９】
図７は、接点ユニット４００の他の取り付け構造を示す断面図である。図１から図６までに示した形態と共通の機能を有する要素には、同じ参照番号を付して重複する説明を省く。
【００６０】
この取り付け構造において、接点ユニット４００はマウントリング２６０に対して固定される。即ち、接点ユニット４００のユニット本体は、マウントリング２６０に向かって突出した位置決め突起４２２を有する。これに対して、マウントリング２６０の裏面には、位置決め突起４２２と相補的な形状の位置決め穴２６３を有する。
【００６１】
また、ユニット本体４２０は、マウント面２６２に直交する貫通穴４２６を有する。また、マウントリング２６０の裏面には、ネジ穴２６１が配される。ユニット本体４２０は、貫通穴４２６の挿通された止めネジ４４４の先端をネジ穴２６１に螺入することにより固定される。
【００６２】
ここで、貫通穴４２６の内径は、止めネジ４４４の外径よりも大きい。このため、止めネジ４４４は、マウント面２６２と平行な面方向のユニット本体４２０の位置を規制しない。従って、接点ユニット４００の位置決めは、専ら位置決め突起４２２および位置決め穴２６３によりなされる。
【００６３】
なお、上記のように、接点ユニット４００はマウントリング２６０に対して位置決めされる。このため、接点ユニット４００の前ボディ３１０に対する相対位置は、一定になるとは限らない。
【００６４】
このため、接点ユニット４００の固定接点４１０の後端４１２は、前ボディ３１０に配された異方性導電弾性体４５０に押し付けられる。異方性導電弾性体４５０は、金属等の導電材料を分散された絶縁性の弾性材料シートであり、加圧された場合に、加圧された領域に限って加圧方向に導電性を発揮する。これにより、固定接点４１０の後端を押し付けられた領域が、異方性導電弾性体４５０の裏面に接続されたフラットケーブル４５２に対して導通する。これにより、隣接する固定接点４１０相互の絶縁性を維持しつつ、接点ユニット４００に対する電気的接続を確保できる。
【００６５】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【符号の説明】
【００６６】
１００  交換レンズ、１０１  スライドスイッチ、１０２  ロック穴、１１０  固定筒、１１１  鏡筒制御部、１１２  マウント面、１１４  マウント爪、１１５  リブ、１１６  可動接点、１１８、１４４  差し込み指標、１２０  ズームリング、１３０  ピントリング、１４０  筐体、１５０  コネクタカバー、１６０  レバースイッチ、１８０  ダイヤルスイッチ、１９０  押しボタン、１９２  ロック解除ボタン、１９４  ロックピン、２００  カメラボディ、２１０  撮像素子、２１２  光学フィルタ、２２０  シャッタ、２２１  連動爪、２２２  絞り装置、２３０  焦点検出装置、２４０  主鏡、２４２  副鏡、２５０  主制御部、２６０  マウントリング、２６１、２６６、３１３、３１５  ネジ穴、２６２  マウント面、２６３  位置決め穴、２６４  マウント爪、２６８  位置決めピン、２７０  ペンタプリズム、２７２  フォーカシングスクリーン、２８０  測光部、２９０  ファインダ光学系、２９２  ハーフミラー、２９４  ファインダＬＣＤ、２９６  メインＬＣＤ、３００  カメラシステム、３１０  前ボディ、３１２  マウントリング取付面、３１４  接点ユニット取付面、４００  接点ユニット、４１０  固定接点、４１２  後端、４２０  ユニット本体、４２２  位置決め突起、４２６  貫通穴、４２８  位置決め穴、４３０  ゴムブッシュ、４３２  フランジ部、４４０  段付きビス、４４２  ネジ頭、４４４  止めネジ、４５０  異方性導電弾性体、４５２  フラットケーブル
【図１】
2011075697.tif 000003
【図２】
2011075697.tif 000004
【図３】
2011075697.tif 000005
【図４】
2011075697.tif 000006
【図５】
2011075697.tif 000007
【図６】
2011075697.tif 000008
【図７】
2011075697.tif 000009